(57)【要約】【課題】シート材の引張り量の調整作業を行わずとも常に適度なテンションでシート材を支持することができる防煙垂幕を提供する。【解決手段】可撓性を有する不燃性のシート材１０と、シート材１０の端部を支持する一対の支持手段２０と、シート材１０の上端縁を囲う上枠部材５０とを備えており、少なくとも一方の支持手段２０は、シート材１０の端部を外側に引っ張る弾性部材３２を有する付勢手段３１を備えており、弾性部材３２は、シート材１０の伸縮に応じて変形することを特徴とする。【選択図】図２
2016034308.tif 000002
【特許請求の範囲】
【請求項１】
可撓性を有する不燃性のシート材と、当該シート材の端部を支持する一対の支持手段と、前記シート材の上端縁を囲う上枠部材とを備えており、
少なくとも一方の前記支持手段は、前記シート材の端部を外側に引っ張る弾性部材を有する付勢手段を備えており、
前記弾性部材は、前記シート材の伸縮に応じて変形する
ことを特徴とする防煙垂幕。
【請求項２】
前記弾性部材は、コイルバネからなり、
前記コイルバネは、前記シート材の長手方向に沿っており、前記シート材の端部を支持する挟持部の内側に圧縮状態で設置されている
ことを特徴とする請求項１に記載の防煙垂幕。
【発明の詳細な説明】
【技術分野】
【０００１】
本発明は、防煙垂幕に関する。
【背景技術】
【０００２】
建築物の室内における天井に設けられる防煙垂幕は、視野を妨げないように板ガラスが用いられることが多かった。しかし、板ガラスは、重量が大きく破損の虞もあるため、運搬や施工に多くの手間を要していた。また天井の防振性の見地からも、防煙垂幕の軽量化が求められていた。
【０００３】
そこで、近年においては、可撓性を有するシート材を用いた防煙垂幕が採用されることが多くなってきた。シート材は、室内の温度変化に応じて伸縮するため、シート材の両端部を支持する支持機構において、少なくとも一方の支持機構が巻取り部を備えた防煙垂幕装置があった（たとえば、特許文献１参照）。この防煙垂幕装置は、シート材の一端が固定された円柱形状の巻取体と、この巻取体を回転可能に覆って支持する筒状支持部とを備えている。このような防煙垂幕装置によれば、巻取体を回転させることで、シート材を引っ張ることができるので、シート材の撓みや弛み、皺を取り除くことができる。
【先行技術文献】
【特許文献】
【０００４】
【特許文献１】特開２０１３−２０２３４０号公報
【発明の概要】
【発明が解決しようとする課題】
【０００５】
特許文献１の防煙垂幕装置では、シート材が伸縮する度に巻取体の回転を行わなければならず、巻取量（引張り量）調整作業に多くの手間と時間を要する問題があった。また、温度変化に応じて調整作業を常に行うのは困難であるので、シート材の撓みや弛み、皺の発生を常に防ぐことはできなかった。
【０００６】
このような観点から、本発明は、シート材の引張り量の調整作業を行わずとも常に適度なテンションでシート材を支持することができる防煙垂幕を提供することを課題とする。
【課題を解決するための手段】
【０００７】
前記課題を解決するための請求項１に係る発明は、可撓性を有する不燃性のシート材と、当該シート材の端部を支持する一対の支持手段と、前記シート材の上端縁を囲う上枠部材とを備えており、少なくとも一方の前記支持手段は、前記シート材の端部を外側に引っ張る弾性部材を有する付勢手段を備えており、前記弾性部材は、前記シート材の伸縮に応じて変形することを特徴とする防煙垂幕である。
【０００８】
このような構成によれば、弾性部材が常時シート材を外側に引っ張っているとともに、また弾性部材はシート材の伸縮に応じて変形可能であるので、シート材は常に適度なテンションで支持される。これによって、シート材の撓みや弛み、皺の発生を常に防ぐことができる。
【０００９】
前記弾性部材は、コイルバネからなり、前記コイルバネは、前記シート材の長手方向に沿っており、前記シート材の端部を支持する挟持部の内側に圧縮状態で設置されていることが好ましい。このような構成によれば、弾性部材の耐久性を高くでき、長期間に亘ってシート材に適度なテンションを付与することができる。
【発明の効果】
【００１０】
本発明に係る防煙垂幕によれば、シート材の引張り量の調整作業を行わずとも常に適度なテンションでシート材を支持することができる。
【図面の簡単な説明】
【００１１】
【図１】本発明の実施形態に係る防煙垂幕の一端部を下側から見上げた斜視図である。
【図２】本発明の実施形態に係る防煙垂幕の支持手段を下側から見上げた斜視図である。
【図３】本発明の実施形態に係る防煙垂幕を下側から見上げた分解斜視図である。
【図４】本発明の実施形態に係る防煙垂幕を示した図であって、（ａ）はシート材の延在方向から見た断面図、（ｂ）は（ａ）のＩ−Ｉ線断面図である。
【図５】（ａ）は図４の（ａ）のＩＩ−ＩＩ線断面図、（ｂ）は図４の（ａ）のＩＩＩ−ＩＩＩ線断面図である。
【発明を実施するための形態】
【００１２】
本発明の実施形態に係る防煙垂幕について図面を参照しつつ詳細に説明する。防煙垂幕は火災時に煙が拡散するのを防止する。防煙垂幕は、天井面から垂下して設けられている。図１に示すように、かかる防煙垂幕１は、シート材１０と支持手段２０と上枠部材５０とを備えている。なお、本実施形態では、防煙垂幕１の支持手段２０は、対称形状であるので、片方だけ図示して説明する。
【００１３】
シート材１０は、可撓性を有する不燃性の部材（たとえば、ガラス繊維を樹脂に含有させたもの）にて構成されている。シート材１０は透明であって、視野を妨げず、照明の灯りを遮らないように構成されている。なお、シート材１０は透明に限定されるものではなく、着色されていて目隠しの役目を果たすものであってもよい。シート材１０は、横長の矩形形状に形成されており、天井面２（図４参照）に沿って配置されている。シート材１０は、下端部が天井面２から所定長さ（たとえば８００ｍｍ、５００ｍｍ、２５０ｍｍ等）下がった高さになるように形成されている。
【００１４】
図２および図４にも示すように、支持手段２０は、シート材１０の端部を支持する。支持手段２０は、一対設けられており（一方のみ図示）、シート材１０の両端部をそれぞれ支持する。少なくとも一方の支持手段２０は、後記する付勢手段３１を備えている。本実施形態では、両方の支持手段２０が、付勢手段３１を備えている。支持手段２０は、挟持部材２１と付勢手段３１と固定側部材４１とを備えている。
【００１５】
図２，図３および図５の（ｂ）に示すように、挟持部材２１は、第一板材２２と第二板材２３とを有しており、第一板材２２と第二板材２３でシート材１０の端部を挟んで支持する。第一板材２２と第二板材２３は、側面視矩形形状を呈している。第一板材２２と第二板材２３は、金属製（たとえば、アルミニウム合金、ステンレス合金、スチール等）の中空押出形材からなり、軽量化が図られている。第一板材２２と第二板材２３は、皿ボルト２４（図５の（ｂ）参照）にて締め付けられて、シート材１０を挟持している。
【００１６】
第一板材２２の外側端部には、フランジ部２５が取り付けられている。フランジ部２５は、第二板材２３側に拡がっており、第二板材２３を取り付ける際の位置決めガイドの役目を果たす。フランジ部２５の幅寸法は、第一板材２２と第二板材２３が組み合わさった幅寸法と同じである。フランジ部２５は、上下両側にも延在している。フランジ部２５の上端部および下端部には、切欠部２６がそれぞれ形成されている。切欠部２６の周縁部分は、付勢手段３１が係止される部分になる。
【００１７】
図２乃至図４および図５の（ａ）に示すように、付勢手段３１は、挟持部材２１を外側に押し出すように弾性力を付勢して、シート材１０に引張りのテンションを付与する。付勢手段３１は、弾性部材３２とボルト３３とナット３４とを備えている。
【００１８】
ボルト３３は、シート材１０の長手方向に沿って延在しており、頭部が外側に位置して軸部が内側に向くように配置されている。ボルト３３の軸部は、フランジ部２５の切欠部２６に挿入されている。ボルト３３の軸部の基端部は、固定側部材４１に設けられた一対の係止突条４４，４４の間を挿通しており、ボルト３３の頭部は、係止突条４４，４４の外側面に係止されている。ナット３４は、鍔状の座金付のナットであって、ボルト３３の軸部の先端部に螺合している。ボルト３３とナット３４は、固定側部材４１に係止されており、移動しない固定系の部材である。
【００１９】
弾性部材３２は、コイルバネからなり、ボルト３３の軸部を囲繞して設けられている。コイルバネは、ナット３４とフランジ部２５との間で、圧縮された状態で挟持されている。つまり、弾性部材３２は、復元力によって、挟持部材２１のフランジ部２５を常時外側に押す状態となっており、シート材１０の端部を外側に引っ張っている。シート材１０が温度変化によって縮退すると、挟持部材２１が内側に引っ張られて、コイルバネが縮む（図５の（ａ）の二点鎖線にて示した部分を参照）。
【００２０】
固定側部材４１は、壁面３（図４参照）に固定される固定系の部材である。固定側部材４１は、背板部４２と一対の側板部４３，４３を備えており、平面視コ字状に形成されている。背板部４２は、壁面３に当接しており、ビス４８によって壁面３に固定されている。なお、本実施形態では、ビス４８は、上下一対に設けられているが、本数および設置場所はこれに限定されるものではない。
【００２１】
側板部４３は、ボルト３３を固定するとともに、挟持部材２１および付勢手段３１を隠す化粧板の役目を果たす。側板部４３は、側面視矩形形状を呈しており、挟持部材２１および付勢手段３１を覆う大きさになっている。図３および図５に示すように、各側板部４３の内側基端部には、係止突条４４と回止突条４５がそれぞれ形成されている。係止突条４４は、回止突条４５より挟持部材２１寄りに形成されている。係止突条４４は、他方の側板部４３の係止突条４４と対向しており、係止突条４４，４４間の隙間にボルト３３の軸部が挿通される。係止突条４４，４４間の隙間寸法は、ボルト３３の頭部の幅より小さく、ボルト３３の軸部の外径寸法より僅かに大きい。
【００２２】
図５の（ａ）に示すように、回止突条４５は、ボルト３３の頭部が配置される位置に形成されている。回止突条４５は、他方の側板部４３の回止突条４５と対向しており、回止突条４５，４５間の隙間にボルト３３の頭部が挟まれている。回止突条４５，４５間の隙間寸法は、頭部の対角距離より小さく、二面幅より大きい。つまり、頭部は、回止突条４５，４５間に回転不能の状態で挟まれている。
【００２３】
固定側部材４１の下端部には、側板部４３，４３間の下端開口部を覆う蓋板４６が設けられている。蓋板４６は、断面Ｌ字形状を呈しており、開口の下端面と、挟持部材２１より下方の側面を覆う。蓋板４６は、断面Ｌ字形状のブラケット４７を介して背板部４２に固定されている。具体的には、ブラケット４７の垂直面が背板部４２に固定され、ブラケット４７の水平面に蓋板４６が皿ビス４９を介して固定されている。
【００２４】
図１，図３および図４に示すように、上枠部材５０は、天井面２に固定されるとともに、シート材１０の上端縁を全長に亘って囲うことで、煙が漏れるのを防止する。上枠部材５０は、天板部５１と一対の側板部５２，５２を備えており、下方に開口する溝状を呈している。天板部５１は、天井面２に当接しており、所定ピッチで設けられたビス（図示せず）によって天井面２に固定されている。
【００２５】
側板部５２は、天井面２から下方に垂下しており、天板部５１の幅方向両端にそれぞれ設けられている。側板部５２の下端は、シート材１０の上端よりも下方に位置している。つまり、シート材１０の上端部は、一対の側板部５２，５２間に入り込んでいる。側板部５２の下端部内側には、遮蔽板５３が回動可能に設けられている。遮蔽板５３は、水平状態から、立上り状態の間で回動可能である。遮蔽板５３の先端部には、上方に突起が形成されており、遮蔽板５３が立ち上がった状態から自重で水平状態に戻るように構成されている。遮蔽板５３は、側板部５２の全長に亘って設けられている。遮蔽板５３は、一対の側板部５２，５２にそれぞれ設けられており、上方に向かって両開き可能となっている。遮蔽板５３，５３は、水平に倒れた状態で、上枠部材５０の下端開口部の全体を覆うとともに、シート材１０の両面側からシート材１０を挟む。遮蔽板５３は、シート材１０の表面に密着することで、気密性を確保する。遮蔽板５３は、シート材１０を気密状態で挟んだままの状態で、シート材１０を摺動可能である。
【００２６】
上枠部材５０の長手方向端部は、固定側部材４１の側板部４３，４３間に入り込んでいる。側板部５２の内側には、補強リブ５４が形成されている。
【００２７】
上枠部材５０は、シート材１０を配置した後に設置される。具体的には、上枠部材５０を斜めにした状態で、シート材１０の上方の隙間に差し込み、天板部５１を天井面２に当接させる。すると、シート材１０の上端部が、上枠部材５０の下端開口部から内側に入り込む。このとき、遮蔽板５３，５３は回動して押し上げられて傾斜した状態になるが、上枠部材５０を設置状態（天板部５１が天井面２に当接した状態）に戻した時点で、遮蔽板５３，５３は自重で水平状態に戻り、シート材１０を挟む（図１および図４の（ａ）参照）。
【００２８】
なお、シート材１０の長さ寸法が所定寸法（たとえば５０００ｍｍ）より長い場合には、シート材１０の上端部の一部を覆って突起部１１（図４の（ａ）の二点鎖線にて示した部分を参照）を形成するのが好ましい。突起部１１は、挟持部材２１と突起部１１との距離、あるいは突起部１１，１１間の距離が所定寸法以内になるように配置する。このような構成にすれば、突起部１１が遮蔽板５３に係止されるので、シート材１０の中間部が垂れ下がるのを防止することができる。
【００２９】
以上のような構成の防煙垂幕１によれば、コイルバネ（弾性部材３２）が常時シート材１０を外側に引っ張っているので、シート材１０は常に適度なテンションで支持される。これによって、シート材１０の撓みや弛み、皺の発生を常に防ぐことができる。
【００３０】
また、弾性部材３２は、シート材１０の伸縮に応じて変形可能であるので、従来のようにシート材の引張り量の調整作業を行う必要がない。さらに、シート材１０の伸縮に応じて弾性部材３２がリアルタイムで変形するので、シート材１０にかかる負担を低減できる。したがって、シート材１０の耐久年数を大幅に増やすことができる。
【００３１】
また、弾性部材３２をコイルバネとしたことで、弾性部材３２の耐久性を高くできる。これによって、弾性部材３２は、長期間に亘ってシート材１０に適度なテンションを付与することができる。
【００３２】
上枠部材５０の下部に遮蔽板５３，５３を設けたことで、シート材１０の上端部の気密性を確保することができ、防煙機能を確保することができる。さらに、遮蔽板５３は回動可能であるとともに、シート材１０を両面から挟む構成であるので、上枠部材５０の設置作業を容易に行うことができる。
【００３３】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では、弾性部材３２として、コイルバネを圧縮状態で用いているが、これに限定されるものではない。コイルバネを伸長状態にして、挟持部材を引き寄せる構成としてもよいし、コイルバネ以外のゴムなどの弾性体を用いてもよい。
【符号の説明】
【００３４】
１      防煙垂幕
２      天井面
３      壁面
１０    シート材
２０    支持手段
２１    挟持部材
３１    付勢手段
３２    弾性部材（コイルバネ）
５０    上枠部材
【図１】
2016034308.tif 000003
【図２】
2016034308.tif 000004
【図３】
2016034308.tif 000005
【図４】
2016034308.tif 000006
【図５】
2016034308.tif 000007